(57)【要約】  【課題】  縦断面Ｌ字状の覆い部材を使用しないで、キャビネット本体の強度を高める。  【解決手段】  厨房キャビネット１のキャビネット本体３の背板６は、その後方に配管スペース１５を形成するようにして、且つ、水槽９及び加熱調理機器１２と衝突・干渉しないように背板６の上端と水槽９の下部及び加熱調理機器１２の下部との間に間隙１６を形成するようにして、左右の側板４に取り付けられ、前記水槽９と加熱調理機器１２との間に位置するようにしてキャビネット本体３に引き出し収納空間１８が形成され、引き出し収納空間１８に引き出し１９が前後動自在に設けられており、前記引き出し収納空間１８に臨むようにして、左右一対の仕切り板２１がキャビネット本体３に設けられ、仕切り板２１の後端がキャビネット本体３の左右の側板４の後端を含む仮想鉛直面２２に位置している。【選択図】      図４
2006167127.tif 000002
【特許請求の範囲】
【請求項１】
左右の側板、底板及び背板を有するキャビネット本体、キャビネット本体の上部に設けられた水槽及び同加熱調理機器を有する厨房キャビネットにおいて、背板は、背板の後方に配管スペースを形成するようにして、且つ、水槽及び加熱調理機器と衝突・干渉しないように背板の上端と水槽の下部及び加熱調理機器の下部との間に間隙を形成するようにして、左右の側板に取り付けられ、前記水槽と加熱調理機器との間に位置するようにしてキャビネット本体に引き出し収納空間が形成され、引き出し収納空間に引き出しが前後動自在に設けられており、前記引き出し収納空間に臨むようにして、左右一対の仕切り板がキャビネット本体に設けられ、仕切り板の後端が左右の側板の後端を含む仮想鉛直面に位置している厨房キャビネット。
【請求項２】
前記仕切り板の上側部の後端が左右の側板の後端を含む仮想鉛直面に位置しており、同下側部の後端が背板に固定されている請求項１記載の厨房キャビネット。
【請求項３】
前記仕切り板間に位置するようにして、仕切り板に補強部材が渡し止められている請求項１又は２記載の厨房キャビネット。
【発明の詳細な説明】
【技術分野】
【０００１】
本発明は厨房キャビネットに関する。
【背景技術】
【０００２】
従来の厨房キャビネットとして以下の如きものが知られている。
左右の側板、底板及び背板を有するキャビネット本体と水槽と加熱調理機器とを有する厨房キャビネットにおいて、背板は、その後方に配管スペースを形成するようにして、且つ、水槽及び加熱調理機器と衝突・干渉しないように背板の上端と水槽の下部及び加熱調理機器の下部との間に間隙を形成するようにして、左右の側板に取り付けられ、前記背板の上端と天板（キャビネット本体の上部に設けられている）とを縦断面Ｌ字状の覆い部材（背板の上端と天板との空間を覆う）で繋ぐようにしたものが知られている。覆い部材は背板を補強する作用を有している。
【特許文献１】特開平１１−４２，１３１号公報
【発明の開示】
【発明が解決しようとする課題】
【０００３】
前記従来の厨房キャビネットには、縦断面Ｌ字状の覆い部材を使用する分だけコスト高であるという欠点があった。
【課題を解決するための手段】
【０００４】
本発明は前記欠点を解消するために以下の如き手段を採用した。
（１）請求項１の発明は、左右の側板、底板及び背板を有するキャビネット本体、キャビネット本体の上部に設けられた水槽及び同加熱調理機器を有する厨房キャビネットにおいて、背板は、背板の後方に配管スペースを形成するようにして、且つ、水槽及び加熱調理機器と衝突・干渉しないように背板の上端と水槽の下部及び加熱調理機器の下部との間に間隙を形成するようにして、左右の側板に取り付けられ、前記水槽と加熱調理機器との間に位置するようにしてキャビネット本体に引き出し収納空間が形成され、引き出し収納空間に引き出しが前後動自在に設けられており、前記引き出し収納空間に臨むようにして、左右一対の仕切り板がキャビネット本体に設けられ、仕切り板の後端が左右の側板の後端を含む仮想鉛直面に位置しているものである。
（２）請求項２の発明は、前記仕切り板の上側部の後端が左右の側板の後端を含む仮想鉛直面に位置しており、同下側部の後端が背板に固定されている請求項１記載のものである。
（３）請求項３の発明は、前記仕切り板間に位置するようにして、仕切り板に補強部材が渡し止められている請求項１又は２記載のものである。
【発明の効果】
【０００５】
本発明は前記した如き構成によって以下の如き効果を奏する。
（１）請求項１の発明によれば、引き出し収納空間に臨むようにして設けられた左右一対の仕切り板の後端がキャビネット本体の左右の側板の後端を含む仮想鉛直面に位置しているものであるから、左右一対の仕切り板の後端を設置場所の建物の側壁に、当接させたり又は連結具により固定することにより、背板、ひいてはキャビネット本体の補強を行うことが出来る。即ち、コスト高の、縦断面Ｌ字状の覆い部材を使用することなく、左右一対の仕切り板を利用してキャビネット本体の強度を高めることが出来る。
（２）請求項２の発明によれば、仕切り板の下側部の後端が背板に固定されているので、仕切り板により背板の補強を行うことが出来る。
（３）請求項３の発明によれば、補強部材により仕切り板の補強を行うことが出来る。
【発明を実施するための最良の形態】
【０００６】
以下に本発明の実施の形態を説明する。
なお、この説明において、前とは図１紙面表側を、後とは同裏側をいい、左とは図１左側を、右とは同図右側をいう。
【０００７】
厨房キャビネット１のキャビネット本体３は、所定間隔をあけて配された左右の側板４と、左右の側板４の下部に渡し止められた底板５（図４参照）と、左右の側板４の後部に渡し止められた、後で詳述する背板６とを有している。
【０００８】
前記キャビネット本体１の上部には天板８が公知の手段により取り付けられている。
天板８の右側に形成された上下方向に貫通する開口（図示略）の縁に水槽９が取り付けられ、天板８の左側の上方及び前方に開放する開口を有する収納空間１１にガス調理器等の周知の加熱調理機器１２が収納・載置されている（図５参照）。
【０００９】
前記背板６は、その後方に配管スペース１５を形成するようにして、且つ、水槽９及び加熱調理機器１２と衝突・干渉しないように背板６の上端と水槽９の下部及び加熱調理機器１２の下部との間に間隙１６（図４、図５参照）を形成するようにして、左右の側板４に取り付けられている。このようにすることにより、配管スペース１５の前後間隔を大きくすることが出来る。
【００１０】
前記水槽９と加熱調理機器１２との間に位置するようにしてキャビネット本体３に引き出し収納空間１８が形成され、この引き出し収納空間１８に少なくとも１つ、本実施の形態では上下２つの引き出し１９が周知のガイド機構（図示略）を介して後述の仕切り板２１に沿って前後動自在に設けられている。引き出し収納空間１８はキャビネット本体３の、左右方向の中央部に位置することになる。
【００１１】
前記引き出し収納空間１８に臨むようにして、左右一対の仕切り板２１がキャビネット本体３に設けられている。仕切り板２１は上側部２１ａと下側部２１ｂとから構成されている。そして、仕切り板２１の前端はキャビネット本体３の支柱２３に固定され（図３参照）、上側部２１ａの後端は左右の側板４の後端を含む仮想鉛直面２２に位置しており、下側部２１ｂの後端は背板６に固定されている。仕切り板２１は、キャビネット本体３の、左右方向の中央部近傍に位置することになる。仕切り板２１間に位置するようにして、仕切り板２１に補強部材２４（背板６と同様の前後厚さを有する）が渡し止められている（図２参照）。
【００１２】
前記加熱調理機器１２の左方にも引き出し収納空間１８が形成され、この引き出し収納空間１８にも引き出し１９が周知のガイド機構（図示略）を介して前後動自在に設けられている。
【００１３】
前記キャビネット本体３の物品収納空間２５（水槽９の下方の物品収納空間２５、引き出し１９の下方の物品収納空間２５及び加熱調理機器１２の下方の物品収納空間２５）の前部開口は扉２６によって開閉自在となされている。
【００１４】
以下に変形例等について説明を加える。
（１）背板６に、前後方向に開放する公知の点検口を設けて、この点検口を取り外し自在な閉塞板で開閉自在に閉塞するようにしてもよい。
（２）水槽９が左側で、加熱調理機器１２が右側であってもよいことはいうまでもない。
【図面の簡単な説明】
【００１５】
【図１】本発明の実施の形態を示す正面図である。
【図２】本発明の実施の形態を示す背面図である。
【図３】図１のＩＩＩ−ＩＩＩ線拡大断面図である。
【図４】図１のＩＶ−ＩＶ線断面図である。
【図５】図１のＶ−Ｖ線断面図である。
【符号の説明】
【００１６】
１  厨房キャビネット
３  キャビネット本体
４  側板
８  天板
９  水槽
１２  加熱調理機器
１５  配管スペース
１６  間隙
１８  引き出し収納空間
１９  引き出し
２１  仕切り板
【図１】
2006167127.tif 000003
【図２】
2006167127.tif 000004
【図３】
2006167127.tif 000005
【図４】
2006167127.tif 000006
【図５】
2006167127.tif 000007